(57)【要約】【課題】  簡単な構成によって安定した片手保持を図りつつ携帯機器の向きの変更に容易に対応可能とする。【解決手段】  スマートフォンＳにその背面側から装着可能である保持カバーケース２の背部２ａに第１及び第２の指差し入れ口３，４を背部２ａの一部を形成しかつ弾性変形可能である伸縮帯体５を挟んで開け、各指差し入れ口３，４には保持カバーケース２の側辺側から指Ｆを差し入れ可能であり、第１の指差し入れ口３の伸縮帯体５側の辺の縁部はこの伸縮帯体の一方の辺の縁であり、第２の指差し入れ口４の伸縮帯体側の辺の縁部はこの伸縮帯体の他方の縁部であり、各指差し入れ口の伸縮帯体５側の辺が互いに対向方向に膨らむ円弧辺３ｂ，４ｂである。【選択図】        図２
2014179835.tif 000002
【特許請求の範囲】
【請求項１】
本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備えており、
上記保持カバーケースは、正面側が開口部となっていると共に、携帯機器にその背面側から上記開口部を通じて離脱可能に嵌め込むことができるものであり、
上記第１及び第２の指差し入れ口は上記保持カバーケースの背部に開口されており、上記保持カバーケースの一側辺側及び他側辺側からそれぞれ指を差し入れ可能であり、互いに上記保持カバーケースの上記側辺に沿って反対方向にずらして対向的に配置されており、
上記伸縮帯体は上記第１及び第２の指差し入れ口の間に形成されかつ弾性変形可能であり、
上記第１の指差し入れ口の上記伸縮帯体側の辺の縁部はこの伸縮帯体の一方の辺の縁部であり、上記第２の指差し入れ口の上記伸縮帯体側の辺の縁部はこの伸縮帯体の他方の縁部であり、上記各指差し入れ口の上記伸縮帯体側の辺が互いに対向方向に膨らむ円弧辺であり、
上記第１の指差し入れ口の円弧辺は、上記側辺側と交差する一方の側辺側に向けて湾曲されかつこの指差し入れ口の上記側辺側が指逃げ用の空間を形成するための第１の円弧辺部を有し、他方の側辺側に向けて上記第１の円弧辺部より小さく湾曲されかつ上記伸縮帯体が支持補強になるための第２の円弧辺部とを有しており、
上記第２の指差し入れ口の円弧辺は、上記一方の側辺側に向けて湾曲されかつ上記伸縮帯体が支持補強になるための第２の円弧辺部を有し、上記他方の側辺側に向けて湾曲されかつ上記指差し入れ口の上記側辺側が指逃げ用の空間を形成するための第１の円弧辺部を有し、上記第２の円弧辺部が上記第１の円弧辺部より小さく湾曲されており、
上記第１及び第２の指差し入れ口のいずれかの指差し入れ口から差し入れた指は、上記伸縮帯体の下面と上記携帯機器の背面との間で上記伸縮帯体の収縮ばね力を通じて弾性的に挟持されるものである
ことを特徴とする携帯機器用保持具。
【請求項２】
第１及び第２の指差し入れ口はいずれも同一形状であって対を形成していることを特徴とする請求項１記載の携帯機器用保持具。
【請求項３】
保持カバーケースの外周側部に嵌合可能であって携帯機器への保持カバーケースの嵌め込み状態を補強するための補強リングを備えていることを特徴とする請求項１又は請求項２記載の携帯機器用保持具。
【請求項４】
本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備えており、
上記保持カバーケースは、正面側が開口部となっていると共に、携帯機器にその背面側から上記開口部を通じて離脱可能に嵌め込むことができるものであり、
両側の第１の指差し入れ口と第２の指差し入れ口とは上記保持カバーケースの一側辺と交差する側辺に沿って対向的に配置されており、上記第１及び第２の指差し入れ口の対向方向と交差する方向の両側に第３及び第４の指差し入れ口を互いに対向位置関係に設けてあり、
上記第１乃至第４の各指差し入れ口は上記保持カバーケースの背部に開口されており、上記第１及び第２の指差し入れ口は上記保持カバーケースの上記一側辺側及び他側辺側からそれぞれ指を差し入れ可能であり、上記第３及び第４の指差し入れ口は上記保持カバーケースの上記一側辺及び他側辺と交差する一側辺側及び他側辺側からそれぞれ指を差し入れ可能であり、
上記伸縮帯体は上記第１及び第２の指差し入れ口の間及び上記第３及び第４の指差し入れ口の間に形成されかつ弾性変形可能であり、
上記第１の指差し入れ口の上記伸縮帯体側の辺の縁部はこの伸縮帯体の上記対向側の一方の辺の縁部であり、上記第２の指差し入れ口の上記伸縮帯体側の辺の縁部はこの伸縮帯体の他方の縁部であり、上記各指差し入れ口の上記伸縮帯体側の辺が互いに対向方向に膨らむ円弧辺であり、
上記第３の指差し入れ口の上記伸縮帯体側の辺の縁部はこの伸縮帯体の上記対向側と交差する側の一方の辺の縁部であり、上記第４の指差し入れ口の上記伸縮帯体側の辺の縁部はこの伸縮帯体の他方の縁部であり、上記各指差し入れ口の上記伸縮帯体側の辺が互いに対向方向に膨らむ円弧辺であり、
上記第１乃至第４の指差し入れ口のいずれかの指差し入れ口から差し入れた指は、上記伸縮帯体の下面と上記携帯機器の背面との間で上記伸縮帯体の収縮ばね力を通じて弾性的に挟持されるものである
ことを特徴とする携帯機器用保持具。
【請求項５】
第１及び第２の指差し入れ口はいずれも同一形状であって対を形成しており、第３及び第４の指差し入れ口はいずれも同一形状であって対を形成していることを特徴とする請求項４記載の携帯機器用保持具。
【発明の詳細な説明】
【技術分野】
【０００１】
本発明は、携帯通信機器等の携帯通信端末機器、タブレット型通信端末機器及び携帯音楽機器（プレイヤー）等の携帯機器に取り付ける携帯機器用保持具に関するものである。
【背景技術】
【０００２】
携帯機器を片手で安定的に保持できる保持具として、特開２０１２−１５１７７０号公報（発明の名称：「保持バンドを有する携帯機器用ケース」）が提案されている。
この従来例は、軟質性を有する帯状体からなる保持バンドをスマートフォンのケース体の外側の縦方向に沿ってケース体と一体に設け、上記ケース体裏面に上記保持バンドとの間に指挿通部を形成し、使用時にはこの指挿通部に２本の指を差し込んだ状態で親指と人差し指を動かしてタッチパネルのアイコンを操作するものである（公報第４頁段落００１１及び図７参照）。
【先行技術文献】
【特許文献】
【０００３】
【特許文献１】特開２０１２−１５１７７０号公報
【発明の概要】
【発明が解決しようとする課題】
【０００４】
近時、表示画面に表示されている画像等の向きがスマートフォンの縦方向又は横方向の向きに連動する機種が提供されている。この種の機種に従来例のような保持バンドを使用しているものを適用した場合、発明者の実験例によれば下記の問題点が判明した。
片手保持のための保持バンドによると、スマートフォンが縦向きから横向きに変更した横向き状態であっても、一応片手保持状態による表示画面の画像等が見たり、タッチ操作ができるものの、この画像等をより良く見やすくしたり、操作をし易くするためにはスマートフォンを９０度反転させて水平方向にする必要がある。しかしながら、反転の角度が９０度に達する前に、保持バンドの縁部が差し入れている指の表面に引っ掛かってしまう課題があった。９０度反転させるために、保持バンドの幅を狭くすれば上記の課題を解決することができるものの、保持バンドのばね力が弱くなって安定した片手保持ができない課題が発生する。
本発明の目的は、簡単な構成によって安定した片手保持を図りつつ携帯機器の向きの変更に容易に対応可能とすることにある。
【課題を解決するための手段】
【０００５】
本発明の特徴は、本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備え、上記保持カバーケースが正面側が開口部となっていると共に、携帯機器にその背面側から上記開口部を通じて離脱可能に嵌め込むことができるものであり、上記第１及び第２の指差し入れ口が上記保持カバーケースの背部に開口されており、上記保持カバーケースの一側辺側及び他側辺側からそれぞれ指を差し入れ可能であり、互いに上記保持カバーケースの上記側辺に沿って反対方向にずらして対向的に配置されており、上記伸縮帯体が上記第１及び第２の指差し入れ口の間に形成されかつ弾性変形可能であり、上記第１の指差し入れ口の上記伸縮帯体側の辺の縁部がこの伸縮帯体の一方の辺の縁部であり、上記第２の指差し入れ口の上記伸縮帯体側の辺の縁部がこの伸縮帯体の他方の縁部であり、上記各指差し入れ口の上記伸縮帯体側の辺が互いに対向方向に膨らむ円弧辺であることにある。上記第１の指差し入れ口の円弧辺は、上記側辺側と交差する一方の側辺側に向けて湾曲されかつこの指差し入れ口の上記側辺側が指逃げ用の空間を形成するための第１の円弧辺部を有し、他方の側辺側に向けて上記第１の円弧辺部より小さく湾曲されかつ上記伸縮帯体が支持補強になるための第２の円弧辺部を有している。上記第２の指差し入れ口の円弧辺は、上記一方の側辺側に向けて湾曲されかつ上記伸縮帯体が支持補強になるための第２の円弧辺部を有し、上記他方の側辺側に向けて湾曲されかつ上記指差し入れ口の上記側辺側が指逃げ用の空間を形成するための第１の円弧辺部を有し、上記第２の円弧辺部が上記第１の円弧辺部より小さく湾曲されている。上記第１及び第２の指差し入れ口のいずれかの指差し入れ口から差し入れた指は、上記伸縮帯体の下面と上記携帯機器の背面との間で上記伸縮帯体の収縮ばね力を通じて弾性的に挟持されるものである。
携帯機器用保持具の使い易さを図り、製造加工を簡易にするために、第１及び第２の指差し入れ口はいずれも同一形状であって対を形成するようにするのが良い。
携帯機器に対する保持カバーケースの取付けの補強を図るために、例えば補強リングを用いるのが良い。補強リングは、上記保持カバーケースの外周側部に嵌合可能とする。
本発明の他の特徴は、本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備えており、上記保持カバーケースが正面側が開口部となっていると共に、携帯機器にその背面側から上記開口部を通じて離脱可能に嵌め込むことができるものであり、両側の上記第１の指差し入れ口と第２の指差し入れ口とは上記保持カバーケースの一側辺と交差する側辺に沿って対向的に配置されており、上記第１及び第２の指差し入れ口の対向方向と交差する方向の両側に第３及び第４の指差し入れ口を互いに対向位置関係に設けていることにある。上記第１乃至第４の各指差し入れ口は上記保持カバーケースの背部に開口されており、上記第１及び第２の指差し入れ口は上記保持カバーケースの上記一側辺側及び他側辺側からそれぞれ指を差し入れ可能であり、上記第３及び第４の指差し入れ口は上記保持カバーケースの上記一側辺及び他側辺と交差する一側辺側及び他側辺側からそれぞれ指を差し入れ可能である。上記伸縮帯体は上記第１及び第２の指差し入れ口の間及び上記第３及び第４の指差し入れ口の間に形成されかつ弾性変形可能である。上記第１の指差し入れ口の上記伸縮帯体側の辺の縁部はこの伸縮帯体の上記対向側の一方の辺の縁部であり、上記第２の指差し入れ口の上記伸縮帯体側の辺の縁部はこの伸縮帯体の他方の縁部であり、上記各指差し入れ口の上記伸縮帯体側の辺が互いに対向方向に膨らむ円弧辺である。上記第３の指差し入れ口の上記伸縮帯体側の辺の縁部はこの伸縮帯体の上記対向側と交差する側の一方の辺の縁部であり、上記第４の指差し入れ口の上記伸縮帯体側の辺の縁部はこの伸縮帯体の他方の縁部であり、上記各指差し入れ口の上記伸縮帯体側の辺が互いに対向方向に膨らむ円弧辺である。上記第１乃至第４の指差し入れ口のいずれかの指差し入れ口から差し入れた指は、上記伸縮帯体の下面と上記携帯機器の背面との間で上記伸縮帯体の収縮ばね力を通じて弾性的に挟持されるものである。
携帯機器用保持具の使い易さを図り、製造加工を簡易にするために、第１及び第２の指差し入れ口はいずれも同一形状であって対を形成し、第３及び第４の指差し入れ口はいずれも同一形状であって対を形成するのが良い。
【発明の効果】
【０００６】
本発明によれば、円弧辺を有する第１及び第２の指差し入れ口を設けることによって安定的な片手保持を図りつつ携帯機器の向きの変更に容易に対応可能となり、各第１及び第２の指差し入れ口を保持カバーケースの背部に開けてあるので、構成が簡単であって、薄形に寄与する。
本発明によれば、第１乃至第４の指差し入れ口を設けることによって安定的な片手保持を図りつつ携帯機器の向きの変更に容易に対応可能となり、各第１乃至第４の指差し入れ口を保持カバーケースの背部に開けてあるので、構成が簡単であって、薄形に寄与する。
【図面の簡単な説明】
【０００７】
【図１】本発明に係る携帯機器用保持具の第１の実施形態の使用状態を示す斜視図である。
【図２】本発明に係る携帯機器用保持具の第１の実施形態の使用状態を示す一部切欠背面図であって、伸縮帯体の下方に位置している人差し指の部分を示す鎖線を消去している図である。
【図３】図２の携帯機器用保持具を示す一部切欠正面図である。
【図４】図２のＩＶ−ＩＶ線拡大断面図であって、スマートフォンの内部の機構を省略している図である。
【図５】図２のＶ−Ｖ線断面図であって、スマートフォンの内部の機構を省略している図である。
【図６】本発明に係る携帯機器用保持具の保持カバーケースを示す背面図である。
【図７】図６の保持カバーケースを示す正面図である。
【図８】図６の保持カバーケースを示す底面図である。
【図９】図６のＩＸ−ＩＸ線拡大断面図である。
【図１０】図６のＸ−Ｘ線断面図である。
【図１１】図６のＸＩ−ＸＩ線断面図である。
【図１２】本発明に係る携帯機器用保持具の補強リングを示す斜視図である。
【図１３】図２の携帯機器用保持具を横向きに使用した状態を示す背面図であって、伸縮帯体を変形して示すと共に上記伸縮帯体の下方に位置している人差し指の部分を示す鎖線を消去している図である。
【図１４】本発明に係る携帯機器用保持具の第２の実施形態の使用状態を示す斜視図である。
【図１５】本発明に係る携帯機器用保持具の第２の実施形態の使用状態を示す一部切欠背面図であって、伸縮帯体の下方に位置している人差し指の部分を示す鎖線を消去している図である。
【図１６】図１５の携帯機器用保持具を示す一部切欠正面図であって、保持カバーケースの背面に位置している指の部分を示す鎖線を消去している図である。
【図１７】図１５の保持カバーケースを示す背面図である。
【図１８】図１５の保持カバーケースを示す正面図である。
【図１９】図１７のＸＩＸ−ＸＩＸ線拡大断面図である。
【図２０】図１７のＸＸ−ＸＸ線断面図である。
【図２１】本発明に係る携帯機器用保持具の第３の実施形態の使用状態を縮小して示す背面図である。
【図２２】図２１の携帯機器用保持具を示す正面図である。
【図２３】図２１の携帯機器用保持具を示す左側面図であって、保持カバーケースの外周側部を断面にして示す図である。
【図２４】図２１の携帯機器用保持具を横向きに使用した状態を示す背面図であって、伸縮帯体を変形して示すと共に上記伸縮帯体の下方に位置している指の部分を示す鎖線を消去している図である。
【図２５】本発明に係る携帯機器用保持具の第４の実施形態の使用状態を縮小して示す背面図である。
【図２６】図２５の携帯機器用保持具を示す正面図である。
【図２７】図２５の携帯機器用保持具を示す左側面図である。
【図２８】図２５の携帯機器用保持具の保持カバーケースを示す背面図である。
【図２９】図２８の保持カバーケースを示す正面図である。
【図３０】図２８のＸＸＸ−ＸＸＸ線拡大断面図である。
【図３１】図２８のＸＸＸＩ−ＸＸＸＩ線断面図である。
【図３２】図２５の携帯機器用保持具を横向きに使用した状態を示す背面図である。
【発明を実施するための形態】
【０００８】
以下、本発明に係る携帯機器用保持具の第１の実施形態について図１〜図１３を参照して説明する。
図１〜図３に示す携帯機器用保持具１において、本体を構成している保持カバーケース２と、この保持カバーケースの背部（底部）２ａの両側に間隔を置いて対向的に設けてある第１及び第２の指差し入れ口３，４と、上記保持カバーケースの背部に形成してある伸縮帯体５とを備えている。
【０００９】
図１〜図３に示す保持カバーケース２は例えばシリコンゴムのような弾性変形可能であるプラスチック部材からなり、その外形が携帯機器（図示の例ではスマートフォンＳ）の外形に対応した形状（図１では縦長長方形状）に成形されている。保持カバーケース２は、スマートフォンＳにその背部側から離脱可能に嵌め込むことができる。
保持カバーケース２は、図２〜図５に示すようにスマートフォンＳの表示画面Ｓａ側である正面側（図４下側）が開口部２ｅとなっている。スマートフォンＳの表示画面Ｓａは、開口部２ｅを通じて正面に表示される。図３に示す符号ＳｄはスマートフォンＳのホームボタンである。
図３〜図５において、保持カバーケース２は、その背部２ａ側から正面側に向けて起立されている外周側部２ｂによって囲まれた内部空間がスマートフォンＳの収納空間６とするボックス型である。保持カバーケース２の外周側部２ｂには、外側が開口となっている取付け溝２ｂ１を全周に形成してある（図８及び図９参照）。また、開口部２ｅ側の外周側部２ｂの縁部が支持縁２ｂ２となっている。支持縁２ｂ２は、保持カバーケース２の背部２ａとの間で、図４に示すようにスマートフォンＳの外周部全周を弾性的に挟むように支持しており、収納空間６内のスマートフォンＳの位置保持を図っている。
【００１０】
図２、図４、図６及び図９において、第１及び第２の指差し入れ口３，４は保持カバーケース２の背部２ａに厚み方向に貫通状態に開口されている。第１及び第２の指差し入れ口３，４は同一形状であって対を構成していると共に、いずれも直線状の辺３ａ，４ａの両端を円弧形状の円弧辺３ｂ，４ｂで結ぶことによって全体としてほぼ翼の断面形状を形成している。第１の指差し入れ口３の円弧辺３ｂと第２の指差し入れ口４の円弧辺４ｂとは、互いに対向する方向に凸状に湾曲されている。
また、第１及び第２の指差し入れ口３，４は、保持カバーケース２の側辺に沿って互いに反対方向（図６上下方向）に所定距離だけずらし、斜め方向に対向的に配置され、互いに点対称状態に配置されている。第１及び第２の指差し入れ口３，４には、保持カバーケース２の一側辺（図２左側辺）側及び他側辺（右側辺）側からそれぞれ指Ｆ（図示の例では人差し指）を差し入れ可能である。
【００１１】
図１〜図４において、伸縮帯体５は第１及び第２の指差し入れ口３，４間に形成されている。第１及び第２の指差し入れ口３，４は、上述のように、保持カバーケース２の背部２ａを背面から正面に貫通状態に切り込んだものであるため、伸縮帯体５は保持カバーケース２の背部２ａを兼用している。伸縮帯体５は収縮ばね力を有しており、図１鎖線に示すように収縮ばね力に抗して上方に円弧を描くように（ブリッジ状に）弾性変形可能である。当然のことながら、伸縮帯体５の弾性変形に伴って第１及び第２の指差し入れ口３，４の形状も変形することになる。このため、第１の指差し入れ口３又は第２の指差し入れ口４を通じて、伸縮帯体５の下面とスマートフォンＳの背面との間に指Ｆを円滑に押込み可能である（図２鎖線参照）。
【００１２】
ここで、第１及び第２の指差し入れ口３，４と伸縮帯体５との関係について説明する。
図１〜図４において、第１の指差し入れ口３の伸縮帯体５側の円弧辺３ｂの縁部はこの伸縮帯体の一方の辺の縁部でもある。そして、第２の指差し入れ口４の伸縮帯体５側の円弧辺４ｂの縁部はこの伸縮帯体の他方の辺の縁部でもある。各指差し入れ口３，４の円弧辺３ｂ，４ｂの縁部が互いに対向する側に膨らむ円弧形を形成している。
また、図２、図６及び図７において、第１の指差し入れ口３の円弧辺３ｂは、上記側辺側と交差する一方の側辺側（図６下側）に向けて湾曲されかつこの指差し入れ口の上記側辺側が指逃げ用の空間を形成するための第１の円弧辺部３ｂ１を有している。そして、第１の指差し入れ口３の円弧辺３ｂは、他方の側辺側（図６上側）に向けて第１の円弧辺部３ｂ１より小さく湾曲されかつ伸縮帯体５が支持補強になるための第２の円弧辺部３ｂ２を有している。
第２の指差し入れ口４の円弧辺４ｂは、上記一方の側辺側（図６下側）に向けて湾曲されかつ伸縮帯体が支持補強になるための第２の円弧辺部４ｂ２を有している。そして、第２の指差し入れ口４の円弧辺４ｂは、上記他方の側辺側（図６上側）に向けて湾曲されかつ指差し入れ口の上記側辺側が指逃げ用の空間を形成するための第１の円弧辺部４ｂ１を有し、上記第２の円弧辺部が上記第１の円弧辺部より小さく湾曲されている。
例えば図２に示す第２の指差し入れ口４において、円弧辺４ｂの第１の円弧辺部４ｂ１によって第２の指差し入れ口に差し入れた鎖線に示す指（図では左手の人差し指Ｆ）の上側に広い空間が確保され、指を上側の第２の指差し入れ口の縁部まで移動可能となる。また、第２の円弧辺部４ｂ２は第２の指差し入れ口４に差し入れた指（図では人差し指Ｆ）の表面に接触し、指を持ち上げることによって伸縮帯体５が弾性変形すると共にばね力によって指を押圧するから支持力が増すと共に、第２の指差し入れ口の全体の変形を抑制する役割を持つ。
右手の人差し指を第１の指差し入れ口３に差し入れた場合でも、円弧辺３ｂの第１及び第２の円弧辺部３ｂ１，３ｂ２は、上述した円弧辺４ｂの第１及び第２の円弧辺部４ｂ１，４ｂ２と同様の効果が発揮される。
第１の指差し入れ口３と第２の指差し入れ口４とは、図２に示すように上下方向に所定距離だけずらして配置され、第１及び第２の指差し入れ口間の伸縮帯体５を含む保持カバーケース２の背部２ａがＳ字形を形成している。指Ｆを図２鎖線に示すように第１の指差し入れ口３から伸縮帯体５の下面を経て第２の指差し入れ口４を差込みかつ横断可能であり、反対に第２の指差し入れ口から伸縮帯体の下面を経て第１の指差し入れ口を差込みかつ横断可能である。
第１の指差し入れ口３又は第２の指差し入れ口４から差し入れられた指Ｆ（図２では指差し入れ口４から差し入れた指）は、これを伸縮帯体５とスマートフォンＳの背面との間に強制的に押込むことによって伸縮帯体が収縮ばね力に抗してブリッジ状に撓むために、伸縮帯体の収縮ばね力を通じて伸縮帯体とスマートフォンＳの背面とにより弾性的に挟持されるものである。
【００１３】
図８において、保持カバーケース２の外周側部２ｂの底面には横長の長孔２ｃ１，２ｃ２，２ｃ３を開けてある。中央の長孔２ｃ２はスマートフォンＳのコネクタ（図示せず。）に対応し、両側の長孔２ｃ１，２ｃ３はスマートフォンの下部マイク及び下部スピーカー（いずれも図示せず。）にそれぞれ対応している。長孔２ｃ１，２ｃ２，２ｃ３の設置の有無又は位置若しくは大きさ等に関しては、スマートフォンＳの機種に対応して決定される。
図９及び図１１において、保持カバーケース２の図９右側の外周側部２ｂには縦長の長孔２ｃ４及びボタン２ｄ１，２ｄ２を設けてある。長孔２ｃ４はスマートフォンＳのマナーボタン（図示せず。）に対応し、ボタン２ｄ１，２ｄ２はスマートフォンのボリュームボタン（いずれも図示せず。）に対応している。長孔２ｃ４及びボタン２ｄ１，２ｄ２の配置位置又は大きさ等に関しては、スマートフォンＳの機種に対応して決定される。
図９及び図１０において、保持カバーケース２の上側の外周側部２ｂの図９左端部側にはスマートフォンＳの電源をオンオフするスイッチ（図示せず。）に対応するボタン２ｄ３を外周側部に突出して設けてある。ボタン２ｄ３の配置位置又は大きさ等に関しては、スマートフォンＳの機種に対応して決定される。
図２及び図６において、保持カバーケース２の背部上部には横長の長孔２ｃ５を開けてある。長孔２ｃ５はスマートフォンＳに設けてある背部カメラレンズ孔Ｓｂ及びフラッシュ用孔Ｓｃに対向している。長孔２ｃ５の設置の有無又は位置若しくは大きさ等に関しては、スマートフォンＳの機種に対応して決定される。
【００１４】
図１〜図４において、上述したように、保持カバーケース２は、収納空間６内にスマートフォンＳを納めることができ、かつ背部２ａと支持縁２ｂ２とによってスマートフォンの外周部全周を挟持してその位置保持を図っている。このため、保持カバーケース２はスマートフォンＳの背部側にこれを覆うように安定的に取り付けられる。
図１に示す携帯機器用保持具１にあっては、保持カバーケース２の取付け状態を補強するための補強リング７を備えている。
図２及び図１２に示すように補強リング７はプラスチック部材によって保持カバーケース２の外形形状に対応して四角形状に成形されている。補強リング７は、図１〜図４に示すように、保持カバーケース２における外周側部２ｂの取付け溝２ｂ１内に嵌め込まれている。このため、保持カバーケース２の外周側部２ｂは、補強リング７とスマートフォンＳの外周部との間で挟まれた状態で支持される。保持カバーケース２は弾性変形可能である部材によって形成されているために、補強リング７の外面が保持カバーケース２の取付け溝２ｂ１の底面を押圧するように、補強リングの内部形状を設計しておけば、保持カバーケースの取付け状態がより一層安定的なものとなる。
図１２において、補強リング７の底面の長孔７ａ１，７ａ２，７ａ３は保持カバーケース２の長孔２ｃ１，２ｃ２，２ｃ３に対向して開けてある。補強リング７の一側面の長孔７ａ４及び丸孔７ａ５，７ａ６は保持カバーケース２の長孔２ｃ４及びボタン２ｄ１，２ｄ２にそれぞれ対向して設けてある。補強リング７の上面の長孔７ａ７は保持カバーケース２のボタン２ｄ３に対向して開けてある。
【００１５】
携帯機器用保持具１の使用方法について説明する。
まず、図１及び図２に示すように、スマートフォンＳの背部に保持カバーケース２の開口部２ｅを対向させた状態で、この開口部を通じてスマートフォンを収納空間６内に嵌め込み、スマートフォンと保持カバーケースとを一体的に結合される。その後、図１に示すように補強リング７を保持カバーケース２の外周側部２ｂの取付け溝２ｂ１内に嵌め込む。この結果、保持カバーケース２は収納空間６内のスマートフォンＳとの結合状態が補強される。
次に、図２及び図３において、例えば右手でスマートフォンＳを固定しながら、図２の鎖線に示すように、左手の親指を保持カバーケース２の図２右側部上部に当てた状態で、指Ｆ（図２に示す例では左手の人差し指）を上記右側部を起点として第２の指差し入れ口４からスマートフォンＳの背面上に滑らせて、この背面と保持カバーケース２の伸縮帯体５の下面との対向間に差し込み、徐々に第１の指差し入れ口３側に向けて押し込んで行く。この際、左手の中指、薬指及び小指は伸縮帯体５の上面に載せながら上記人差し指Ｆの移動方向と同じ方向に移動させる。
押し込む過程では、伸縮帯体５が収縮するばね力に対抗して図１鎖線に示すように上方に伸張するので、指Ｆの押し込みが円滑に行われ、各指先が図３鎖線に示すように保持カバーケース２の図右側部に達しこれを把持できる時点で押し込みを停止すると、上記指が伸縮帯体の収縮力（収縮するばね力）によって、スマートフォンＳの背面に向けて押圧される。この結果、使用者は左手のみでスマートフォンＳを安定的に保持できるから、右手若しくは左手又は両手によってスマートフォンＳの表示画面Ｓａに対するタッチ操作をすることができる。
使用者のきき手が左手である場合には、図２左側の第１の指差し入れ口３を利用する。
また、指Ｆの大きさによっては、第１の指差し入れ口３又は第２の指差し入れ口４に例えば人差し指及び中指の２本又は人差し指、中指及び薬指の３本を差し入れて、伸縮帯体５のばね力を利用して片手によるスマートフォンＳの安定的な保持をするようにしても良い。
【００１６】
スマートフォンＳを図２に示す縦向きに使用している間に、図１３に示す横向きに使用する必要が生じた場合について説明する。
この場合には、利用者の親指によるスマートフォンＳへの押えを解除してから、図２の位置から時計方向に９０度反転させる。反転に伴って、図１３に示すように、指Ｆ（図では左手の人差し指）を押圧している伸縮帯体５を中心としてスマートフォンＳが９０度時計方向に回転し、この回転により人差し指Ｆが第２の指差し入れ口４の図右側に移動し、やがて反転を終えた段階で、人差し指の根元側の側部が第２の指差し入れ口４の第１の円弧辺部４ｂ１に当たる。その後、左手の親指で保持カバーケース２の図１３右上側部を押え、中指を伸縮帯体５の上面に載せ、薬指及び小指は保持カバーケース２の底面側に移動させる。
この場合でも、指Ｆが伸縮帯体５の収縮するばね力によって、スマートフォンＳの背面に向けて押圧されるから使用者は左手のみでスマートフォンを安定的に保持でき、右手若しくは左手又は両手によってスマートフォンＳの表示画面Ｓａに対するタッチ操作をすることができる。
このように図１〜図３に示す携帯機器用保持具１では、スマートフォンＳの表示画面Ｓａの向きが縦方向でも横方向でも、その向きの変更に容易に対応して片手によるスマートフォンの安定的な保持が可能となる。また、第１及び第２の指差し入れ口３，４における円弧辺３ｂ，４ｂの第１の円弧辺部３ｂ１，４ｂ１によってスマートフォンＳの向きの変更に対して第１及び第２の指差し入れ口内の指の移動が円滑に行え、そして第２の円弧辺部３ｂ２，４ｂ２によって指の支持の補強が図られると共に、第１及び第２の指差し入れ口の変形（伸縮帯体５の弾性変形に伴う第１及び第２の指差し入れ口３，４の辺３ａ，４ａの変形）を抑制することができる。
【００１７】
本発明に係る携帯機器用保持具の第２の実施形態について図１４〜図２０を参照して説明する。
図１４〜図１７に示す携帯機器用保持具１１は、その基本構成が図１〜図３に示す携帯機器用保持具１のそれと実質的に同一であり、使用方法は同じであるので、共通する構成部分及び使用方法についての説明を省略し、主たる相違点について説明する。
図１及び図２に示す携帯機器用保持具１にあっては保持カバーケース２をスマートフォンＳに取り付けると共に双方の結合状態を補強するために補強リング７を使用したが、図１４及び図１５に示す携帯機器用保持具１１では補強リング７を用いることなく保持カバーケース１２をスマートフォンＳに嵌め込んで安定的な取付け状態を維持している。
保持カバーケース１２では、その外周側部１２ｂに前記取付け溝２ｂ１を設けていない。また、保持カバーケース１２とスマートフォンＳとの結合状態を確実なものにするために、外周側部１２ｂの開口部１２ｅ側の縁部の幅を広くした支持縁１２ｂ２とし、この支持縁と保持カバーケースの背部１２ａとの間でスマートフォンＳの外周部を弾性的に挟むように支持している。
【００１８】
図１４及び図２０に示す保持カバーケース１２の外周側部１２ｂの一側面には長孔１２ｃ４及びボタン１２ｄ１，１２ｄ２を設けてある。長孔１２ｃ４はスマートフォンＳのマナーボタン（図示せず。）に対応し、ボタン１２ｄ１，１２ｄ２はスマートフォンのボリュームボタン（いずれも図示せず。）に対応している。ボタン１２ｄ１，１２ｄ２の外側にはこれらを囲むように溝を形成してある。長孔１２ｃ４及びボタン１２ｄ１，１２ｄ２の配置位置又は大きさ等に関しては、スマートフォンＳの機種に対応して決定される。
図１８において、保持カバーケース１２の外周側部１２ｂの底面に長孔１２ｃ１，１２ｃ２，１２ｃ３を開けてある。中央の長孔１２ｃ２はスマートフォンＳのコネクタ（図示せず。）に対応し、両側の長孔１２ｃ１，１２ｃ３はスマートフォンの下部マイク及び下部スピーカー（いずれも図示せず。）にそれぞれ対応している。長孔１２ｃ１，１２ｃ２，１２ｃ３の設置の有無又は位置若しくは大きさ等に関しては、スマートフォンＳの機種に対応して決定される。
図１８及び図１９において、保持カバーケース１２の上側の外周側部１２ｂの図１８右端部側にはスマートフォンＳの電源をオンオフするスイッチ（図示せず。）に対応するボタン１２ｄ３を設けてある。ボタン１２ｄ３の外側にはこれらを囲むように溝を形成してある。ボタン１２ｄ３の配置位置又は大きさ等に関しては、スマートフォンＳの機種に対応して決定される。
図１４〜図１６において、保持カバーケース１２の背部１２ａ上部には横長の長孔１２ｃ５を開けてある。長孔１２ｃ５はスマートフォンＳに設けてある背部カメラレンズ孔Ｓｂ及びフラッシュ用孔Ｓｃに対向している。長孔１２ｃ５の設置の有無又は位置若しくは大きさ等に関しては、スマートフォンＳの機種に対応して決定される。
図１４〜図１６において、保持カバーケース１２の開口部１２ｅ、指Ｆを差し入れ可能である第１及び第２の指差し入れ口１３，１４、各指差し入れ口の辺１３ａ，１４ａ、円弧辺１３ｂ，１４ｂ、第１の円弧辺部１３ｂ１，１４ｂ１、第２の円弧辺部１３ｂ２，１４ｂ２、伸縮帯体１５並びに収納空間１６は、前記保持カバーケース２の開口部２ｅ、第１及び第２の指差し入れ口３，４、各指差し入れ口の辺３ａ，４ａ、円弧辺３ｂ，４ｂ、第１の円弧辺部３ｂ１，４ｂ１、第２の円弧辺部３ｂ２，４ｂ２、伸縮帯体５並びに収納空間６にそれぞれ対応している。
図示する携帯機器用保持具１１においても、前記携帯機器用保持具１と同様に、スマートフォンＳの表示画面Ｓａの向きが例えば縦方向から横方向へ変わっても、向きの変更に容易に対応することができ、いずれの向きにおいても第１及び第２の指差し入れ口１３，１４及び伸縮帯体１５を利用することにより、片手でのスマートフォンの安定的な保持が可能になる。
【００１９】
本発明に係る携帯機器用保持具はスマートフォンＳに限られず、後述するタブレット型の携帯情報端末機器に適用できるものである。
そこで、本発明をタブレット型の携帯情報端末機器に適用した本発明に係る携帯機器用保持具の第３及び第４の各実施形態について説明する。
【００２０】
まず、本発明に係る携帯機器用保持具の第３の実施形態について図２１〜図２４を参照して説明する。
図２１〜図２３に示す携帯機器用保持具２１は、その基本構成及び使用方法が図１４〜図１６に示す携帯機器用保持具１１のそれと実質的に同一であるので、共通する構成部分及び使用方法についての説明を省略し、相違する特徴的な構成部分について説明する。
主たる相違点は携帯機器用保持具２１の保持カバーケース２２の大きさが前記携帯機器用保持具１１のそれと比較して大きいこと、そして保持カバーケースの外周側部２２ｂが開口部２２ｅ側に向けて円弧状に屈曲されていることである。その理由は、収納空間２６内に嵌装する携帯情報端末機器Ｐが前記スマートフォンＳより大きいタブレット型であること、また上記携帯情報端末機器の外周部が円弧状になっていることによるものである。結局、これらの相違点は、取付けの対象である携帯情報端末機器Ｐの外形形状に適用するための設計変更に基づくものである。
図２１〜図２３において、保持カバーケース２２の背部２２ａ、外周側部２２ｂ及び支持縁２２ｂ２、開口部２２ｅ並びに第１及び第２の指差し入れ口２３，２４、各指差し入れ口の辺２３ａ，２４ａ、円弧辺２３ｂ，２４ｂ、第１の円弧辺部２３ｂ１，２４ｂ１、第２の円弧辺部２３ｂ２，２４ｂ２、伸縮帯体２５及び収納空間２６は、いずれも前記保持カバーケース１２の背部１２ａ、外周側部１２ｂ及び支持縁１２ｂ２、開口部１２ｅ並びに第１及び第２の指差し入れ口１３，１４、各指差し入れ口の辺１３ａ，１４ａ、円弧辺１３ｂ，１４ｂ、第１の円弧辺部１３ｂ１，１４ｂ１、第２の円弧辺部１３ｂ２，１４ｂ２、伸縮帯体１５及び収納空間１６に対応している。
【００２１】
本発明に係る携帯機器用保持具２１の使用方法について説明する。
図２１及び図２２に示すように携帯情報端末機器Ｐを縦向き（図上下方向）にして片手（例えば左手）で保持して使用する場合には、図２１鎖線に示すように指Ｆ（図示の例では親指を除く残り４本の指）を第２の指差し入れ口２４から携帯情報端末機器の背面上を第１の指差し入れ口２３に向けて滑らせて、携帯情報端末機器の背面と保持カバーケース２２の伸縮帯体２５の下面との間に差し込み、徐々に第１の差し入れ口２３側に向けて押し込んで行く。この押込みによって、伸縮帯体２５がばね力に対抗してブリッジ状に上方に向けて撓むので、指をさらに図２１左側に移動させることができる。指Ｆの先が図２１鎖線に示す位置に達した時点で、押し込みを停止すると、指が伸縮帯体２５の収縮力によって、携帯情報端末機器Ｐの背面に向けて押圧される。この結果、使用者は左手のみで携帯情報端末機器Ｐを安定的に保持できる。必要に応じて、指Ｆを図２１鎖線に示す位置よりさらに左側に移動させ、手の甲が伸縮帯体２５に達した時点で止めても良い。この場合には、手のひらが携帯情報端末機器Ｐの背面に当たると共に手の甲が伸縮帯体２５のばね力を受けることになるので、片手保持がより一層安定したものになる。また、第２の円弧辺部２３ｂ２，２４ｂ２によって指Ｆの支持の補強が図られると共に、第１及び第２の指差し入れ口の変形（伸縮帯体２５の弾性変形に伴う第１及び第２の指差し入れ口２３，２４の辺２３ａ，２４ａの変形）を抑制することができる。
携帯機器用保持具２１においても、前記携帯機器用保持具１と同様に、使用中の携帯情報端末機器Ｐの表示画面Ｐａの向きが図２２に示す縦方向から図２４に示す横方向にその向きが変更されても、変更に対応して片手による携帯情報端末機器の安定的な保持が可能となる。
携帯情報端末機器Ｐの表示画面Ｐａが図２２に示す位置から時計方向に９０度反転して図２４に示す横方向に変更された場合、図２２に示す伸縮帯体２５を中心として反転し、反転に伴って伸縮帯体の下面側を挿通している親指を除く残り４本の指Ｆは第１の指差し入れ口２３内の図２４左側（第１の円弧辺部２３ｂ１側）に移動し、親指は第２の指差し入れ口２４内の図右側（第１の円弧辺部２４ｂ１側）に移動する。この結果、指Ｆが伸縮帯体２５の収縮するばね力によって、携帯情報端末機器Ｐの背面に向けて押圧されるから使用者は左手のみで携帯情報端末機器を安定的に保持できる。
【００２２】
次に、本発明に係る携帯機器用保持具の第４の実施形態について図２５〜図３２を参照して説明する。
図２５〜図２７に示す携帯機器用保持具３１の基本構成は図２１〜図２３に示す携帯機器用保持具２１のそれと共通しているので、相違点について詳細に説明し、共通点についての詳細な説明を省略する。
【００２３】
第１の相違点は、携帯機器用保持具２１の保持カバーケース２２がボックス型であるのに対して、携帯機器用保持具３１の保持カバーケース３２がボックス型ではないことである。すなわち、
保持カバーケース３２は、その外周側部３２ｂがボックスの側壁のように連続して全周に亘って環状に囲むのではなく、図２８〜図３１に示すように、連続することなく四隅のみの正面側に立ち上げたものとなっている。四隅の各外周側部３２ｂには、正面側を覆って内部に携帯情報端末機器Ｐ（図２６）の隅部が係合可能である係合空間３２ｂ３を有する支持部３２ｂ４を設けてある。
このため、図２５〜図２７において、保持カバーケース３２を携帯情報端末機器Ｐの背部側から被せ、その後、四隅の外周側部３２ｂの係合空間３２ｂ３内に携帯情報端末機器Ｐの各角部を係合させれば、保持カバーケースの四隅の支持部３２ｂ４を通じて保持カバーケースと携帯情報端末機器Ｐとは一体的に結合される。
【００２４】
第２の相違点は、図２１に示す携帯機器用保持具２１の保持カバーケース２２では背部２２ａの図左右両側に斜め方向に第１及び第２の指差し入れ口２３，２４を対向的に設けているのに対して、図２５に示す携帯機器用保持具３１の保持カバーケース３２には背部３２ａの図左右両側に水平方向に第１及び第２の指差し入れ口３３，３４を対向的に設けてある他に、図上下方向に両側にも第３及び第４の指差し入れ口３８，３９を設けていることである。すなわち、
図２８及び図２９に示すように、同一形状であって互いに対を構成している第１及び第２の指差し入れ口３３，３４は保持カバーケース３２の背部３２ａに線対称状態に配置され、そして対向側の辺が膨らんでいる円弧辺３３ｂ，３４ｂを形成している。第１の指差し入れ口３３と第２の指差し入れ口３４との間は伸縮帯体３５となっている。また、第１及び第２の指差し入れ口３３，３４の円弧辺３３ｂ，３４ｂ側と反対側は、図２８及び図３０に示すように保持カバーケース３２の外周側が切り欠けられて背部３２ａに達している。このため、上下に位置している四隅の外周側部３２ｂ間は、切欠き空間３２ｆ１を形成している。これらの切欠き空間３２ｆ１によって、支持部３２ｂ４間の携帯情報端末機器Ｐの両側面は露出されることになる（図２７）。
図２８〜図３１に示すように、携帯機器用保持具３１の保持カバーケース３２の背部３２ａには、図２８の上下両側に同一形状であって互いに対を構成している第３及び第４の指差し入れ口３８，３９を設けてある。第３及び第４の指差し入れ口３８，３９は、図２８左右の幅が第１及び第２の指差し入れ口３３，３４のそれに比べて狭い点を除いて第１及び第２の指差し入れ口３３，３４の構成と共通している。第３及び第４の指差し入れ口３８，３９における円弧辺３８ｂ，３９ｂ及び切欠き空間３２ｆ２は、第１及び第２の指差し入れ口３３，３４の円弧辺３３ｂ，３４ｂ及び切欠き空間３２ｆ１にそれぞれ対応している。
図２６において、３２ｅは開口部である。
【００２５】
本発明に係る携帯機器用保持具３１の使用方法について説明する。
図２５及び図２６に示すように携帯情報端末機器Ｐを縦向き（図上下方向）にして片手（例えば左手）で保持して使用する場合には、図２５鎖線に示すように指Ｆ（図示の例では親指を含むすべての指）を第２の指差し入れ口３４から携帯情報端末機器の背面上を第２の指差し入れ口３４に向けて滑らせて、携帯情報端末機器の背面と、保持カバーケース３２の伸縮帯体３５の下面との間に差し込み、徐々に第１の指差し入れ口３３側に向けて押し込んで行く。この押込みによって、伸縮帯体３５がばね力に対抗してブリッジ状に上方に向けて撓むので、指をさらに図２５左側に移動させることができる。指Ｆの先が図２５鎖線に示す位置に達した時点で、押し込みを停止すると、指が伸縮帯体３５の収縮力によって、携帯情報端末機器Ｐの背面に向けて押圧される。この結果、使用者は左手のみで携帯情報端末機器Ｐを安定的に保持できる。必要に応じて、指Ｆを図２５鎖線に示す位置よりさらに左側に移動させ、手の甲が伸縮帯体３５に達した時点で止めても良い。この場合には、手のひらが携帯情報端末機器Ｐの背面に当たると共に手の甲全体が伸縮帯体３５のばね力を受けることになるので、片手保持がより一層安定したものになる。
携帯情報端末機器Ｐの表示画面Ｐａが図２５に示す縦方向の位置から時計方向に９０度反転して図３２に示す横方向に変更された場合には、図２５鎖線に示すようにすべての指Ｆを第３の指差し入れ口３８から伸縮帯体３５の下面側を通って第４の指差し入れ口３９に向けて押込んで行く。そして、指Ｆの先が図３２鎖線に示す位置を越えた時点で、押し込みを停止すると、手のひらが携帯情報端末機器Ｐの背面に当たると共に手の甲が伸縮帯体３５のばね力を受けることになるので、片手保持がより一層安定したものになる。
このように、携帯機器用保持具３１においても、前記携帯機器用保持具２１と同様に、携帯情報端末機器Ｐの表示画面Ｐａの向きが縦方向から横方向に又はその逆方向に変更されても、向きに応じて４方に配置されている第１及び第２の指差し入れ口３３，３４並びに第３及び第４の指差し入れ口３８，３９のいずれかを選択すれば、その向きの変更に容易に対応することができる。
【００２６】
図１、図１４、図２１及び図２５に示す携帯機器用保持具１，１１，２１，３１によれば、保持カバーケース２，１２，２２，３２の背部２ａ，１２ａ，２２ａ，３２ａはその一部が伸縮帯体５，１５，２５，３５であり、換言すれば伸縮帯体を兼用しているので、伸縮帯体の存在が携帯機器用保持具の薄型化を妨げず、背部側に突起物が生じないので、携帯機器用保持具の包装や保管が便利となり、その取扱いがし易い。
図１、図１４、図２１及び図２５に示す携帯機器用保持具１，１１，２１，３１によれば、加工段階において指差し入れ口３，１３，２３，３３，４，１４，２４，３４，３８，３９を開けると同時に、伸縮帯体５，１５，２５，３５が形成されるので、製造及び加工が簡易となる。
図１、図１４及び図２１に示す携帯機器用保持具１，１１，２１によれば、第１及び第２の指差し入れ口３，１３，２３，４，１４，２４によって、また図２５に示す携帯機器用保持具３１によれば、第１乃至第４の指差し入れ口３３，３４，３８，３９によって、使用時に携帯機器Ｐ，Ｓの表示画面Ｐａ，Ｓａの向きが縦方向から横方向に、又はその反対方向に変わっても、その変更に応じて片手による保持の調整ができる。また、各指差し入れ口３，１３，２３，３３，４，１４，２４，３４，３８，３９は円弧辺３ｂ，１３ｂ，２３ｂ，３３ｂ，４ｂ，１４ｂ，２４ｂ，３４ｂ，３８ｂ，３９ｂを有しているので、指Ｆを差し入れ易く、そしてこれらの円弧辺が伸縮帯体５，１５，２５，３５の両辺を兼用しているので伸帯縮体が湾曲し易くなる。
図１、図１４及び図２１に示す第１及び第２の指差し入れ口３，１３，２３，４，１４，２４における円弧辺３ｂ，１３ｂ，２３ｂ，４ｂ，１４ｂ，２４ｂにおいて、第１の円弧辺部３ｂ１，１３ｂ１，２３ｂ１，４ｂ１，１４ｂ１，２４ｂ１によってスマートフォンＳ及び携帯情報端末機器Ｐの向きの変更に対して第１及び第２の指差し入れ口内の指の移動が円滑に行える。そして、第２の円弧辺部３ｂ２，１３ｂ２，２３ｂ２，４ｂ２，１４ｂ２，２４ｂ２によって指の支持の補強が図られると共に、第１及び第２の指差し入れ口の変形（伸縮帯体５，１５，２５の弾性変形に伴う第１及び第２の指差し入れ口３，１３，２３，４，１４，２４の辺３ａ，１３ａ，２３ａ，４ａ，１４ａ，２４ａの変形）を抑制することができる。
【００２７】
本発明に適用される携帯機器は、スマートフォンＳのような携帯電話等を含む携帯通信機器、携帯情報端末機器Ｐ等のようにタブレット型通信端末電子機器、通信機能を有しないタブレット型携帯情報端末機器のような電子機器に限られない。
保持カバーケース２，１２，２２の形状に関し、図１、図１４及び図２１に示す携帯機器用保持具１，１１，２１にあっては、ボックス型としているが、図２５に示す保持カバーケース３２のように四隅に支持部３２ｂ４を設けるものであっても良い。保持カバーケース３２はボックス型にしても良い。
第１の指差し入れ口３，１３，２３及び第２の指差し入れ口４，１４，２４の形状及び配置に関し、図１、図１４及び図２１に示す携帯機器用保持具１，１１，２１にあっては、互いに同じ形状で対を形成すると共に上下方向にずらして伸縮帯体５，１５，２５を挟んで点対称状態に配置してあるが、形状を異にしても、また、ずらすことなく線対称状態に並べても良い。
伸縮帯体５，１５，２５，３５に関し、薄肉加工を施すことにより、保持カバーケース２，１２，２２，３２の材質が弾性変形可能なプラスチックである場合にその伸縮性を高めることができ、また、弾性変形可能でないプラスチックである場合に伸縮性を出すことができる。
【符号の説明】
【００２８】
Ｆ                              指
Ｐ                              携帯情報端末機器（携帯機器）
Ｐａ                            表示画面
Ｓ                              スマートフォン（携帯機器）
Ｓａ                            表示画面
１，１１，２１，３１            携帯機器用保持具
２，１２，２２，３２            保持カバーケース
２ａ，１２ａ，２２ａ，３２ａ    保持カバーケースの背部
２ｂ，１２ｂ，２２ｂ，３２ｂ    外周側部
２ｅ，１２ｅ，２２ｅ，３２ｅ    開口部
３，１３，２３，３３            第１の指差し入れ口
３ｂ，１３ｂ，２３ｂ，３３ｂ    円弧辺
３ｂ１，１３ｂ１，２３ｂ１      第１の円弧辺部
３ｂ２，１３ｂ２，２３ｂ２      第２の円弧辺部
４，１４，２４，３４            第２の指差し入れ口
４ｂ，１４ｂ，２４ｂ，３４ｂ    円弧辺
４ｂ１，１４ｂ１，２４ｂ１      第１の円弧辺部
４ｂ２，１４ｂ２，２４ｂ２      第２の円弧辺部
５，１５，２５，３５            伸縮帯体
６，１６，２６                  収納空間
３８                            第３の指差し入れ口
３８ｂ                          円弧辺
３９                            第４の指差し入れ口
３９ｂ                          円弧辺
【図１】
2014179835.tif 000003
【図２】
2014179835.tif 000004
【図３】
2014179835.tif 000005
【図４】
2014179835.tif 000006
【図５】
2014179835.tif 000007
【図６】
2014179835.tif 000008
【図７】
2014179835.tif 000009
【図８】
2014179835.tif 000010
【図９】
2014179835.tif 000011
【図１０】
2014179835.tif 000012
【図１１】
2014179835.tif 000013
【図１２】
2014179835.tif 000014
【図１３】
2014179835.tif 000015
【図１４】
2014179835.tif 000016
【図１５】
2014179835.tif 000017
【図１６】
2014179835.tif 000018
【図１７】
2014179835.tif 000019
【図１８】
2014179835.tif 000020
【図１９】
2014179835.tif 000021
【図２０】
2014179835.tif 000022
【図２１】
2014179835.tif 000023
【図２２】
2014179835.tif 000024
【図２３】
2014179835.tif 000025
【図２４】
2014179835.tif 000026
【図２５】
2014179835.tif 000027
【図２６】
2014179835.tif 000028
【図２７】
2014179835.tif 000029
【図２８】
2014179835.tif 000030
【図２９】
2014179835.tif 000031
【図３０】
2014179835.tif 000032
【図３１】
2014179835.tif 000033
【図３２】
2014179835.tif 000034
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備えており、
上記保持カバーケースは、正面側が開口部となっていると共に、携帯機器にその背面側から上記開口部を通じて離脱可能に嵌め込むことができるものであり、
上記第１及び第２の指差し入れ口は上記保持カバーケースの背部に開口されており、上記保持カバーケースの一側辺側及び他側辺側からそれぞれ指を差し入れ可能であり、互いに上記保持カバーケースの上記側辺に沿って反対方向にずらして対向的に配置されており、
上記伸縮帯体は上記第１及び第２の指差し入れ口の間に形成されかつ弾性変形可能であり、
上記第１の指差し入れ口の上記伸縮帯体側の辺の縁部はこの伸縮帯体の一方の辺の縁部であり、上記第２の指差し入れ口の上記伸縮帯体側の辺の縁部はこの伸縮帯体の他方の縁部であり、上記各指差し入れ口の上記伸縮帯体側の辺が互いに対向方向に膨らむ円弧辺であり、
上記第１の指差し入れ口の円弧辺は、上記側辺側と交差する一方の側辺側に向けて湾曲されかつこの指差し入れ口の上記側辺側が指逃げ用の空間を形成するための第１の円弧辺部を有し、他方の側辺側に向けて上記第１の円弧辺部より小さく湾曲されかつ上記伸縮帯体が支持補強になるための第２の円弧辺部とを有しており、
上記第２の指差し入れ口の円弧辺は、上記一方の側辺側に向けて湾曲されかつ上記伸縮帯体が支持補強になるための第２の円弧辺部を有し、上記他方の側辺側に向けて湾曲されかつ上記指差し入れ口の上記側辺側が指逃げ用の空間を形成するための第１の円弧辺部を有し、上記第２の円弧辺部が上記第１の円弧辺部より小さく湾曲されており、
上記第１及び第２の指差し入れ口のいずれかの指差し入れ口から差し入れた指は、上記伸縮帯体の下面と上記携帯機器の背面との間で上記伸縮帯体の収縮ばね力を通じて弾性的に挟持されるものである
ことを特徴とする携帯機器用保持具。
【請求項２】
第１及び第２の指差し入れ口はいずれも同一形状であって対を形成していることを特徴とする請求項１記載の携帯機器用保持具。
【請求項３】
保持カバーケースの外周側部に嵌合可能であって携帯機器への保持カバーケースの嵌め込み状態を補強するための補強リングを備えていることを特徴とする請求項１又は請求項２記載の携帯機器用保持具。
【手続補正２】
【補正対象書類名】明細書
【補正対象項目名】０００５
【補正方法】変更
【補正の内容】
【０００５】
本発明の特徴は、本体を構成している保持カバーケースと、この保持カバーケースの背部の両側に対向的にかつ間隔を置いて配置している第１及び第２の指差し入れ口と、上記保持カバーケースの背部に形成してある伸縮帯体とを備え、上記保持カバーケースが正面側が開口部となっていると共に、携帯機器にその背面側から上記開口部を通じて離脱可能に嵌め込むことができるものであり、上記第１及び第２の指差し入れ口が上記保持カバーケースの背部に開口されており、上記保持カバーケースの一側辺側及び他側辺側からそれぞれ指を差し入れ可能であり、互いに上記保持カバーケースの上記側辺に沿って反対方向にずらして対向的に配置されており、上記伸縮帯体が上記第１及び第２の指差し入れ口の間に形成されかつ弾性変形可能であり、上記第１の指差し入れ口の上記伸縮帯体側の辺の縁部がこの伸縮帯体の一方の辺の縁部であり、上記第２の指差し入れ口の上記伸縮帯体側の辺の縁部がこの伸縮帯体の他方の縁部であり、上記各指差し入れ口の上記伸縮帯体側の辺が互いに対向方向に膨らむ円弧辺であることにある。上記第１の指差し入れ口の円弧辺は、上記側辺側と交差する一方の側辺側に向けて湾曲されかつこの指差し入れ口の上記側辺側が指逃げ用の空間を形成するための第１の円弧辺部を有し、他方の側辺側に向けて上記第１の円弧辺部より小さく湾曲されかつ上記伸縮帯体が支持補強になるための第２の円弧辺部を有している。上記第２の指差し入れ口の円弧辺は、上記一方の側辺側に向けて湾曲されかつ上記伸縮帯体が支持補強になるための第２の円弧辺部を有し、上記他方の側辺側に向けて湾曲されかつ上記指差し入れ口の上記側辺側が指逃げ用の空間を形成するための第１の円弧辺部を有し、上記第２の円弧辺部が上記第１の円弧辺部より小さく湾曲されている。上記第１及び第２の指差し入れ口のいずれかの指差し入れ口から差し入れた指は、上記伸縮帯体の下面と上記携帯機器の背面との間で上記伸縮帯体の収縮ばね力を通じて弾性的に挟持されるものである。
携帯機器用保持具の使い易さを図り、製造加工を簡易にするために、第１及び第２の指差し入れ口はいずれも同一形状であって対を形成するようにするのが良い。
携帯機器に対する保持カバーケースの取付けの補強を図るために、例えば補強リングを用いるのが良い。補強リングは、上記保持カバーケースの外周側部に嵌合可能とする。
【手続補正３】
【補正対象書類名】明細書
【補正対象項目名】０００６
【補正方法】変更
【補正の内容】
【０００６】
本発明によれば、円弧辺を有する第１及び第２の指差し入れ口を設けることによって安定的な片手保持を図りつつ携帯機器の向きの変更に容易に対応可能となり、各第１及び第２の指差し入れ口を保持カバーケースの背部に開けてあるので、構成が簡単であって、薄形に寄与する。